(57)【要約】【課題】  シリンダ内をピストンが移動することで圧縮空気を噴射する機構を有する非触眼圧計において、被検眼に対する不必要な空気の噴射を抑制する。【解決手段】  ピストンによりシリンダ内の空気を圧縮し、圧縮した空気をノズルから被検眼の角膜に向けて吹き付け角膜を変形する角膜変形手段と、該ピストンの動作を制御するピストン制御手段と、角膜の変形の状態を検知し眼圧を測定する眼圧測定手段を有する装置において、シリンダ内にて該ピストンが圧縮する空気の初期容積を変更可能なピストン容積変更手段、を備える。【選択図】  図６
2014012119.tif 000002
【特許請求の範囲】
【請求項１】
シリンダ内に配置されて動作開始位置より動作するピストンによりシリンダ内の空気を圧縮し、圧縮した前記空気を前記シリンダ内から被検眼の角膜に向けて吹き付け前記角膜を変形する角膜変形手段と、前記ピストンの動作を制御するピストン制御手段と、前記角膜の変形の状態を検知して前記被検眼の眼圧を測定する眼圧測定手段と、を有する非接触眼圧計において、前記ピストンが前記シリンダ内にて前記空気を圧縮する際の初期容積を変更可能なピストン容積変更手段を有することを特徴とする非接触眼圧計。
【請求項２】
前記ピストン容積変更手段は、前記ピストンの前記動作開始位置を変更することを特徴とする請求項１に記載の非接触眼圧計。
【請求項３】
前記ピストンの位置を検出するピストン位置検出手段を有し、前記ピストン制御手段は前記ピストン位置検出手段の検出結果に基づく前記ピストンの前記動作開始位置への移動および前記動作開始位置での保持を行うことを特徴とする請求項１又は２に記載の非接触眼圧計。
【請求項４】
ピストンはソレノイドにより動作され、前記ピストン制御手段は該ソレノイドの駆動電流の可変制御とＯＮ／ＯＦＦ制御によりピストンを制御することを特徴とする請求項３に記載の非接触眼圧計。
【請求項５】
前記ピストン容積変更手段は、前記眼圧測定手段により測定された前記被検眼の眼圧に応じて前記初期容積を変更することを特徴とする請求項１乃至４の何れか一項に記載の非接触眼圧計。
【請求項６】
前記ピストン容積変更手段は、前記眼圧測定手段により測定された前記被検眼の眼圧が所定の値以上の場合に前記初期容積を大きくすることを特徴とする請求項５記載の非接触眼圧計。
【請求項７】
前記ピストン容積変更手段は、前記眼圧測定手段により測定された前記被検眼の眼圧に所定の値を加算した眼圧に応じて前記初期容積を変更することを特徴とする請求項５記載の非接触眼圧計。
【請求項８】
前記眼圧測定手段による測定毎に前記眼圧測定手段により測定された前記被検眼の眼圧が所定の値以上か否かを判断する判断手段を有することを特徴とする請求項６記載の非接触眼圧計。
【請求項９】
前記ピストン容積変更手段は、前記眼圧測定手段により測定された前記被検眼の眼圧が所定の値以下の場合に前記初期容積を小さくすることを特徴とする請求項５記載の非接触眼圧計。
【請求項１０】
前記ピストンは、前記シリンダ内の気体を圧縮する側から前記シリンダの外部に至る気体通路と、前記気体通路の開閉を行う駆動弁と、前記ピストンの移動速度が所定速度以上となることに応じて前記駆動弁を動作させて前記気体通路を閉鎖する駆動弁動作手段と、を有することを特徴とする請求項１に記載の非接触眼圧計。
【請求項１１】
前記駆動弁動作手段は、前記気体通路が開放される方向に前記駆動弁に付勢力を付与する付勢手段を有し、
前記付勢手段は、前記ピストンに前記空気の圧縮を行なわせるために前記ピストンに加わる力が前記付勢力以上になると前記気体通路を閉塞状態として前記ピストンによるシリンダ内の前記空気の圧縮が開始されることを特徴とする請求項１０に記載の非接触眼圧計。
【発明の詳細な説明】
【技術分野】
【０００１】
本発明は、被検眼に空気を吹付け、角膜を変形させたときの光学的検知手段による角膜変形信号から眼圧値を算出する非接触眼圧計に関するものである。
【背景技術】
【０００２】
非接触眼圧計はバーナード・グロールマン氏が開発した空気吹付けタイプの眼圧計に代表されている。これは被検眼の角膜から約１１ｍｍ離れたノズルから空気を吹付け、角膜の圧平を光学的に検出し、圧平までの時間を接触型のゴールドマンタイプ眼圧計で校正して眼圧値を算出している。
その多くは、空気噴射ノズル部に接続されたシリンダ内部をピストンが移動することで、シリンダ内の空気が圧縮され、ノズルから空気が噴射される機構が用いられている。さらに、ピストンの駆動機構については、初期トルクが高く構成が簡単であるとの理由から一般的にソレノイドが使用されている。
【０００３】
また、非接触眼圧計では低眼圧から緑内障等の疾患による高眼圧まで、幅広い測定レンジが要求される。高眼圧を測定するためには被検眼に対して十分な空気を噴射する必要があるため、シリンダ容積も高眼圧を基準に設計が行われている。そのため、低眼圧の被検眼に対しては、被検眼の眼圧値に応じてソレノイドの駆動電流や駆動時間の変更を行い、空気の吹き付け量の調整を行っている。
【０００４】
しかし、ソレノイドを用いた機構は、安価で構成が容易な半面いくつかのデメリットが知られている。ソレノイドは、巻線と永久磁石だけの単純な構造であり、作動方向は一方向に限られるため、別に戻りバネ等の復帰機構を用いなければならない。
通常、ソレノイドの作動力は戻りバネのそれに対して十分に大きく、一度ソレノイドに通電してピストンを駆動させると、電流をとめた後もピストンの自重による慣性力が働き、目的の位置でピストンを止めることが困難であった。
【０００５】
特に低眼圧の被検眼の測定では、圧平に必要な空気量も少なくシリンダ内におけるピストン駆動範囲対して、かなり早い段階でピストンを停止する必要があるが、ピストンの慣性力により被検眼に対して測定に不必要な空気を噴射してしまい、被検者に不快な思いをさせる原因となっていた。
【０００６】
以上の問題を解決するために、１）ピストンを駆動するソレノイドに印加する駆動電圧を緩やかな加圧速度で上昇させることで、ピストン駆動電流遮断後の慣性力による移動量を少なくする発明が特許文献１に知られている。
【０００７】
さらに、２）シリンダ内の圧縮空気を被検眼へ噴射することを防止するために、電磁弁により空気を逃がす機構が特許文献２に知られている。この発明では、電磁弁によってシリンダ内の空気を逃す機構を有する他に、電磁弁の応答遅延性を考慮し、一度目の測定から電磁弁を開放するタイミングを予測し、適切なタイミングで電磁弁を開放することで被検眼に対する不要な空気噴射を低減させている。
【先行技術文献】
【特許文献】
【０００８】
【特許文献１】特開平９−２０１３３５号公報
【特許文献２】特開２００２−３４９２７号公報
【発明の概要】
【発明が解決しようとする課題】
【０００９】
しかしながら、前述の特許文献１のように、印加電圧の加圧速度を徐々に上昇させる回路においても、ピストン慣性力による空気の噴射は防ぎようもなく、かつ印加電圧を可変にすると制御回路が複雑になるという問題があった。
さらには、何らかの制御機構によりピストンを急停止させることが可能だったとしても、シリンダ内の圧縮された空気は、大気圧よりも高いため噴出用ノズルからは空気が漏れ出てしまう。したがって、被検者に対し不快な空気を噴射してしまうという根本的問題の解決にはつながっていなかった。
【００１０】
また、前述の特許文献２で開示された、電磁弁の開放によりシリンダ内の圧縮空気を逃がす方法は理論上有効である。しかし、シリンダ内に圧縮された空気を瞬時に開放させるためには、電磁弁の開放口をノズルに対して十分大きくする必要があり、大型の電磁弁が必要となる。大型の電磁弁はコストもかかり、また装置内の限られたスペースに実装することは難しいため、採用するためのハードルが高くなってしまっていた。
【００１１】
本発明の目的は、前記問題点を解消し、低コストおよび安易な構成で被検眼に対する不必要な空気噴射を抑制できる非接触眼圧計を提供することである。
【課題を解決するための手段】
【００１２】
上記の目的を達成するために、本発明に係る非接触眼圧計は、シリンダ内に配置されて動作開始位置より動作するピストンにより前記シリンダ内の空気を圧縮し、圧縮した前記空気を前記シリンダ内から被検眼の角膜に向けて吹き付けて前記角膜を変形する角膜変形手段と、前記ピストンの動作を制御するピストン制御手段と、前記角膜の変形の状態を検知して前記被検眼の眼圧を測定する眼圧測定手段と、を有する非接触眼圧計において、前記シリンダが前記シリンダ内にて前記空気を圧縮する際の初期容積を変更可能なシリンダ容積変更手段を有することを特徴とする。 
【発明の効果】
【００１３】
本発明に係る非接触眼圧計は、シリンダに対するピストンの駆動位置を変更することで、眼圧値に応じて最適な空気を噴出することが出来る。また、ピストンの制御をソレノイド駆動で行う場合でも、ピストンの慣性力による測定に不必要な空気の噴出を防止することが可能である。
また従来の装置に対し、ピストン位置検出機構の追加のみで構成可能なため、安価で小型な装置を提供することが可能である。
【図面の簡単な説明】
【００１４】
【図１】非接触眼圧計の外観図である。
【図２】測定部の光学系の配置図である。
【図３】実施例１のシステムブロック図である。
【図４】従来の制御方法でのピストン位置説明図である。
【図５】従来の制御方法での角膜変形信号と圧力信号の関係図である。
【図６】実施例１の制御方法でのピストン位置説明図である。
【図７】実施例１の制御方法での角膜変形信号と圧力信号の関係図である。
【図８】実施例を説明したフローチャートである。
【図９】実施例２のピストン構造図である。
【図１０】実施例２のピストン状態および位置の説明図である。
【図１１】実施例２のバネ弾性力とピストン駆動力の関係図である。
【図１２】実施例２のピストン構造での角膜変形信号と圧力信号の関係図である。
【発明を実施するための形態】
【００１５】
以下に、本発明の実施の形態を添付の図面に基づいて詳細に説明する。
【実施例１】
【００１６】
図１は本発明に係る非接触眼圧計の概略構成図を示している。
ベース１００に対してフレーム１０２は左右方向（以下、Ｘ軸方向）に移動可能である。Ｘ軸方向の駆動機構は、ベース１００上に固定されたＸ軸駆動モータ１０３と、モータ出力軸に連結された送りねじ（不図示）と、送りねじ上をＸ軸方向に移動可能でフレーム１０２に固定されたナット（不図示）で構成されている。モータ１０３の回転により、送りねじ、ナットを介してフレーム１０２がＸ軸方向に移動する。
【００１７】
フレーム１０２に対してフレーム１０６は上下方向（以下、Ｙ軸方向）に移動可能である。Ｙ軸方向の駆動機構は、フレーム１０２上に固定されたＹ軸駆動モータ１０４と、モータ出力軸に連結された送りねじ１０５と、送りねじ上をＹ軸方向に移動可能でフレーム１０６に固定されたナット１１４で構成されている。モータ１０４の回転により、送りねじ、ナットを介してフレーム１０６がＹ軸方向に移動する。
【００１８】
フレーム１０６に対してフレーム１０７は前後方向（以下、Ｚ軸方向）に移動可能である。Ｚ軸方向の駆動機構は、フレーム１０７上に固定されたＺ軸駆動モータ１０８と、モータ出力軸に連結された送りねじ１０９と、送りねじ上をＺ軸方向に移動可能でフレーム１０６に固定されたナット１１５で構成されている。モータ１０８の回転により、送りねじ、ナットを介してフレーム１０７がＺ軸方向に移動する。
【００１９】
ここで、フレーム１０２のＸ軸方向の移動は被検者に対する左右方向の、フレーム１０６のＹ軸方向の移動は被検者に対する上下方向の、フレーム１０７のＺ軸方向の移動は被検者に対する接近離間にあたる前後方向の、眼圧計の移動に各々対応する。
【００２０】
フレーム１０７上には測定を行うための測定部１１０が固定されている。測定部の被検者側端部には、眼圧測定に必要な空気を排出するためのノズル１１１が設けられている。測定部１１０の検者側端部には、被検眼Ｅを観察するための表示部材であるＬＣＤモニタ１１６が設けられている。
ベース１００には、被検眼Ｅに対して測定部１１０を位置合わせするための操作部材であるジョイスティック１０１が設けられている。
【００２１】
眼圧の測定を行う際に、被検者は顎受け１１２上に顎を乗せ、かつフレーム１００に固定されている顔受けフレーム（不図示）の額受け部分に額を押し当てることで被検眼の位置を固定させることができる。顎受け１１２は、被検者の顔のサイズに応じて、顎受けモータ１１３によりＹ軸方向に調整可能である。
【００２２】
図２は測定部１１０内の光学系の構成図を示し、被検眼Ｅの角膜Ｅｃに対向して、平行平面ガラス２０と対物レンズ２１の中心軸上にノズル２２が配置され、その後方に空気室２３、観察窓２４、ダイクロイックミラー２５、プリズム絞り２６、結像レンズ２７、ＣＣＤ２８が順次に配列されている。これらは被検眼Ｅに対する観察光学系の受光用光路及びアライメント検出用光路となっている。
【００２３】
平行平面ガラス２０、対物レンズ２１は対物鏡筒２９によって支持され、その外側には被検眼Ｅを照明する外眼照明光源３０ａ、３０ｂが配置されている。
尚、簡単のため外眼照明光源３０ａ、３０ｂは図面上下に記述しているが実際には図と垂直方向に光軸に対して対向して配置されている。
【００２４】
ダイクロイックミラー２５の反射方向には、リレーレンズ３１、ハーフミラー３２、アパーチャ３３、受光素子３４が配置されている。なお、アパーチャ３３の位置は、所定変形時に後述する測定用光源３７の角膜反射像が共役になる位置に配置され、受光素子３４と共に角膜Ｅｃが視軸方向に変形するときの変形検出受光光学系とされている。
リレーレンズ３１は角膜Ｅｃが所定変形時にアパーチャ３３とほぼ同等の大きさの角膜反射像を結像するように設計されている。
【００２５】
ハーフミラー３２の入射方向には、ハーフミラー３５、投影レンズ３６、測定及び被検眼Ｅに対するアライメント兼用の不可視波長である近赤外ＬＥＤから成る測定用光源３７が配置され、ハーフミラー３５の入射方向には、被検者が固視するＬＥＤから成る固視用光源３８が配置されている。
【００２６】
空気室２３内には、空気室の内圧をモニタするための圧力センサ４５、およびシリンダ４３からの圧縮空気を伝搬する移送管４４が接続されている。移送管は図のような蛇腹状のチューブや、金属管等どのような形態でも構わない。また、移送管４４を使用せずに空気室２３に直接接続する形で、シリンダ４３を配置しても良い。シリンダ４３にはピストン４０が嵌合され、このピストン４０はソレノイド４２によって駆動されるようになっている。ソレノイド４２の回転運動は、ソレノイド４２とピストン４０に接続された、駆動レバー４１により、ピストン４０の直線運動に変換されている。ピストン４０がシリンダ４３内を高速に移動することにより、シリンダ４３内の圧縮された空気が空気室２３に送られ、ノズル２２を通って被検眼Ｅに空気を噴射する機構となっている。これらシリンダ４３およびピストン４０等からなる構成は、本発明においてシリンダ内に配置されて動作開始位置より動作するピストンによりシリンダ内の空気を圧縮し、圧縮した空気をシリンダ内から被検眼の角膜に向けて吹き付け角膜を変形する角膜変形手段の一例を構成する。
【００２７】
また、本発明を実施するため、ピストン４０にはピストン位置を検出するための検出用センサードグ４６が接続されており、センサードグ４６と検出スイッチ４７により、ピストン４０の位置を検出することが可能な構成となっている。
【００２８】
ここで検出スイッチ４７は、ピストン４０の位置が検出可能であれば、フォトインタラプターやマイクロスイッチ、ポテンショセンサー等どのような形態を用いても構わない。さらにセンサードグ４６および検出スイッチ４７の配置についても、図示のようなシリンダ４３近傍である必要もなく、ソレノイド４２近傍に配置し、ソレノイド４２の回転角度からピストン４０の位置検出を行うことも可能である。これら構成は、本発明において、ピストンの位置を検出するピストン位置検出手段の一例として例示される。
【００２９】
図３はシステムブロック図である。システム全体を制御しているシステム制御部３０１は、プログラム格納部、眼圧値を補正するためのデータが格納されたデータ格納部、各種デバイスとの入出力を制御する入出力制御部、各種デバイスから得られたデータを演算する演算処理部を有している。
【００３０】
システム制御部には、測定部１１０を被検眼Ｅに位置合わせおよび測定開始を行うジョイスティック１０１から、前後左右に傾けたときのＸ、Ｚ軸の傾倒角度入力３０２、回転させたときのＹ軸エンコーダ入力３０３、測定開始釦押下時の測定開始釦３０４からの入力が接続されている。
また、図示のないベース１００上の操作パネル３０５には、印字釦や顎受上下釦などが配置されており、釦入力時にシステム制御部に信号が通知される。
【００３１】
ＣＣＤ２８で撮像された被検眼Ｅの前眼部像は、メモリ３０６に格納される。メモリ３０６に格納された画像から被検眼Ｅの瞳孔と角膜反射像を抽出しアライメント検出を行う。また、ＣＣＤ２８で撮像された被検眼Ｅの前眼部像は、文字，図形データと合成され、ＬＣＤモニタ１１６上に前眼部像や測定値などが表示される。
【００３２】
受光素子３４で受光された角膜変形信号と、空気室２３内に配置された圧力センサ４５の信号はメモリ３０６に格納される。これら受光素子３４等、角膜の変形の状態である角膜変形信号を検知して被検眼の眼圧を測定するための構成は、本発明において眼圧測定手段として機能する構成の一例として示される。
【００３３】
Ｘ軸モータ１０３、Ｙ軸モータ１０４、Ｚ軸モータ１０８、顎受モータ１１３は、モータ駆動回路３１２を介して、システム制御部３０１からの指令により駆動される。測定用光源３７、外眼照明光源３０ａ、３０ｂ、固視用光源３８は、光源駆動回路３１１を介して、システム制御部３０１からの指令により点灯，消灯，光量変更を制御する。
【００３４】
ソレノイド４２は、システム制御部３０１からの信号により制御され、ソレノイド駆動回路３１０を介して駆動電流の変更および電圧印加のON/OFFが行われる。
ここで本実施例では、ソレノイド４２にロータリーソレノイドを使用している。ロータリーソレノイドは、電圧を印加すると銅線を巻いたコイルの中で可動式のピンが動き、ベアリング等のメカ機構により直線運動を回転運動へ変換する仕組みになっている。また、その回転トルクは一意の方向に限られているため、内蔵のコイルスプリングにより初期位置に戻る構造となっている。
【００３５】
ソレノイド駆動回路３１０からの制御により、ソレノイド４２に流す駆動電流の値が高く設定されると、ソレノイド４２に高トルクが発生しソレノイドを高速回転させることが可能である。また、前述のようにロータリーソレノイドには、初期位置へ戻るためのコイルスプリングが内蔵されている。そのため、ソレノイド４２に微小電流を流しコイルスプリングとのバランスを取りながら、電流値の増減を制御することでソレノイド４２を任意の角度へ移動および保持することが可能である。なお、これらソレノイド駆動回路３１０等のピストン４０の動作のための構成は、本発明においてピストンの動作を制御するピストン制御手段の一例として示される。すなわち、本例では、ピストンはソレノイドにより動作され、ピストン制御手段は該ソレノイドの駆動電流の可変制御とＯＮ／ＯＦＦ制御によりピストンを制御する。
【００３６】
次に本発明の効果について、従来制御方法すなわちピストン４０の動作開始位置をシリンダ４３の最端部からスタートした場合と本実施例１とを比較して説明する。
初めに、従来の眼圧測定時におけるシステム制御部３０１のソレノイド制御について図４および図５を用いて説明を行う。図４は、図２の光学構成図から空気噴射ユニットのみ切り出した図であり、（Ａ）〜（Ｃ）の各図はソレノイド４２の通電状態とその時のピストン４０位置について描かれている。ただし、説明を容易にするため、従来例に必要のないセンサードグ４６とピストン位置検出スイッチ４７は割愛している。図５はソレノイド制御信号と、その時の眼圧測定時に圧力センサ４５より得られた空気室２３内の圧力信号、および受光素子３４で検出された被検眼Ｅの変形状態（以後、角膜変形信号とよぶ）の関係を表している。図５の横軸は測定開始時からの時間を表し、縦軸は各信号のレベルを表している。
【００３７】
さらに図５に示される期間Ａ１は、圧力信号および角膜変形信号の検出開始から角膜変形信号の最大値Ｐ１までの期間を表し、図４（Ａ）から図４（Ｂ）の状態変化に対応している。また同様に、図５の期間Ｂ１は、ソレノイド４２の駆動電流を停止した状態であり、図４（Ｂ）から図４（Ｃ）の状態変化に対応している。また、図５のソレノイド制御信号は、Ｔ０からＴ１はソレノイドの通電期間を表している。本実施例１では、ソレノイドの通電期間と上記期間Ａ１は一致している。
【００３８】
図４（Ａ）は、ソレノイド４２に通電開始直前のピストン位置である。ピストン４０は、ソレノイド４２に内蔵のコイルスプリングのトルクにより、初期位置であるシリンダ始端に固定されている。被検眼と装置のアライメントが終了し、眼圧測定が開始されると、システム制御部３０１はソレノイド４２を高速で駆動し、空気室２３内の空気はソレノイド４２により押し上げられるピストン４０によって圧縮される。空気室２３の内圧が上昇するにしたがい、ノズル２２から噴出された空気が、被検眼Ｅの角膜Ｅｃに向けて噴出され角膜Ｅｃの圧平が開始される。
【００３９】
前述の通り、受光素子３４に入射される光量は、噴出空気により角膜Ｅｃが圧平された瞬間が最大となるように設計されており、図５上で角膜変形信号が最大値となる点Ｐ１は、角膜Ｅｃが凸から凹に切り替わる瞬間を表している。システム制御部３０１は、この角膜変形信号の最大値を検出すると、ソレノイド４２の駆動電流を停止し、同時に取り込んだ図５の○印で示される圧力信号値から被検眼Ｅの眼圧値を算出する。
【００４０】
ここで、一般的に健常眼の眼圧値は１０〜２０ｍｍＨｇと言われており、緑内障等の眼疾患を有する場合などでは２０ｍｍＨｇ以上の高眼圧値になることが分かっている。そのため、装置では０〜６０ｍｍＨｇ程度の幅広い測定レンジを有することが求められ、シリンダ４３の容積とピストン４０の加速スピードは、その最大眼圧値を測定可能なように設計されている。言い換えれば、最大眼圧値以下の一般的な眼圧値を有する被検眼に対しては、装置のシリンダ容積は大き過ぎると言える。
【００４１】
そのため従来の測定では、ソレノイド４２の駆動電流を減らし、かつ駆動電流停止のタイミングを早めることで被検眼への不必要な空気の噴射を減らす制御を行っていた。
しかし、ピストン４０は自重による慣性力を持っており、ソレノイド４２の駆動電流を停止した後も、動き続けることが分かっている。
【００４２】
図４（Ｂ）は、図５上の点Ｐ１が検出された瞬間のピストン４０の位置を表しており、また図４（Ｃ）は最終的にピストン４０が停止した位置を表している。ピストン４０は、その慣性力により、駆動電流を停止した後も、ほぼ同じ速度を維持したまま図４（Ｂ）の位置から図４（Ｃ）へ移動し、図４（Ｂ）の斜線で示されたシリンダ４３内の残留空気を圧縮する。その結果、圧縮された空気は、被検眼に対して測定に不必要な空気として噴射されてしまっていた。図５に示される期間Ｂ１は、ピストン４０が慣性力によって移動した際の、角膜変形信号と圧力信号の関係を表している。ソレノイド４２の駆動電流を停止した後も、ピストン４０はシリンダ４３内の空気を圧縮しつづけ、空気室２３の圧力は上がり続けることが知られている。その結果、ノズル２２から噴出された空気により、角膜Ｅｃが圧平状態から凹状態になるため角膜変形信号値が低下していることが分かる。
ピストン４０が図４（Ｃ）の状態に停止した後は、ソレノイド４２に内蔵のコイルスプリングのトルクにより、図４（Ａ）で図示された初期位置であるシリンダ始端に戻される。
【００４３】
なお、空気の噴射が停止されたことにより角膜Ｅｃは凹状態から圧平状態を経て通常の凸状態にもどる。その際、角膜変形信号は図５に示すように第二のピーク点Ｐ２を有することになる。
【００４４】
また本実施例中では、ソレノイド４２の駆動電流停止のタイミングについては重要ではないため、角膜変形信号の最大値を検出した後に停止するとして説明を行った。詳細な説明は割愛するが、角膜変形信号のピーク値の検出が可能であれば、例えば、角膜変形信号や圧力信号が所定の閾値を超えた瞬間に停止しても構わない。
【００４５】
繰り返しになるが、従来の非接触眼圧計では最大眼圧を基準にシリンダ４３の設計を行っているため、ピストン４０の慣性力により、被検眼に対して測定に不必要な空気を噴射してしまっていたことが問題であった。そこで本発明では、ピストン４０の動作開始位置を変更し、シリンダ４３の初期容積を変更（減少）することで、上記問題を解決している。
【００４６】
次に本実施例１の詳細について、図６および図７を用いて説明を行う。
図６は、図２の光学構成図から空気噴射ユニットのみ切り出した図であり、（Ａ）〜（Ｃ）の各図はソレノイド４２の通電状態とその時のピストン４０位置について描かれている。また、図７は眼圧測定時に圧力センサ４５より得られた空気室２３内の圧力信号と、受光素子３４で検出された角膜変形信号の関係を表しており、横軸は測定開始時からの経過時間、縦軸は各信号のレベルを表している。図５と同様に点線は角膜変形信号、実線は圧力信号（圧力信号２）を表している。また、比較のため従来の制御方法時における圧力信号（圧力信号１）を一点鎖線で表している。前述の通り、本実施例１では、ソレノイドの通電期間と上記期間Ａ１は一致しているためソレノイド制御についての説明図は割愛する。
【００４７】
図６（Ａ）は、本発明におけるピストン４０の動作開始位置を示している。図４の構成に対し、前述のセンサードグ４６と検出スイッチ４７が追加されており、センサードグ４６が検出スイッチ４７により検出された位置をピストン４０の動作開始位置として設定している。ここで、ピストン４０の動作開始位置を検出するための検出用センサードグ４６と検出スイッチ４７の位置関係は、任意の最大眼圧値を得るために必要な最適位置に設定されている。例えば、最大３０ｍｍＨｇの被検眼を測定するために必要なシリンダ４３の容積は、計算によって容易に算出可能である。そこで計算によって算出されたシリンダ容積になる位置に検出スイッチ４７を設置することで、最大３０ｍｍＨｇの眼圧を上限とした測定系を構成することが可能となる。
【００４８】
測定が開始されると、従来制御と同様に図７のＡ１で示される期間において、ソレノイド４２が通電されピストンは高速で駆動される。ピストン４０がシリンダ４３内を高速に移動すると空気室２３の圧力信号が上昇し、ノズル２２からの空気噴射により角膜Ｅｃの圧平が開始され角膜変形信号も上昇を始める。
【００４９】
被検眼の眼圧値が検出スイッチ４７で設定した最大眼圧値より低い場合、システム制御部３０１は図６（Ａ）の位置からスタートしたピストン４０が図６（Ｃ）で示されたシリンダ４３の終端に達する前に角膜変形信号ピーク値Ｐ１を検出する（図７）。
角膜変形信号ピークＰ１が得られると、システム制御部３０１はソレノイド４２の駆動電流を停止し、同時に取り込んだ図５の○印で示される圧力信号値から被検眼Ｅの眼圧値を算出する。
【００５０】
図６（Ｂ）は、角膜変形信号ピークＰ１が得られた瞬間のピストン位置を表している。ここでピストン４０は、従来制御で説明したように、ソレノイド４２の駆動電流を停止した後も慣性力によりシリンダ４３の終端である図６（Ｃ）の位置まで動き続ける。
しかし、ピストン４０の動作開始位置が従来制御よりも前方に変更されているため、図６（Ｂ）から図６（Ｃ）までの距離は、従来制御時に比べ短くなっている。そのため、図６（Ｂ）に図示された斜線部の残留空気量も従来制御に対して十分少ない事が分かる。また、図６（Ｂ）から図６（Ｃ）に対応した図７で示されたＢ２期間、すなわちピストン４０が慣性力により移動している時間も、従来制御による移動時間Ｂ１に対しより短くなっている。
【００５１】
以上のように、ピストン４０の動作開始位置を変更し、シリンダ４３の初期容積を変更することで、被検眼に対する不必要な空気の噴射が抑制され、被検眼の眼圧値に応じて最適な空気量の噴出が可能となる。
【００５２】
最後に、本発明を用いた実施形態の一例について、図８の測定フローのフローチャートを用いて説明する。
まず測定開始前の準備について簡単に説明する。検者は、被検者に顎受け１１２に顎を乗せさせ、被検眼のＹ軸方向を所定の高さになるように顎受けモータ１１３により調整する。ＬＣＤモニタ１１６に映されている被検眼Ｅの角膜反射像が表示される位置まで、ジョイスティック１０１を操作し、測定開始釦を押下する。
【００５３】
測定開始釦が押下されると、オートアライメントを開始する。アライメント時には、角膜Ｅｃによって結像した角膜輝点はプリズム絞り２６によって分割され、外眼照明光源３０ａ、３０ｂによって照明された被検眼Ｅと、外眼照明光源３０ａ、３０ｂの輝点像とともに、ＣＣＤ２８上に撮像される。システム制御部３０１は、この撮像された被検眼Ｅの前眼部像をメモリ３０６に格納し、被検眼Ｅと角膜反射像から抽出された各輝点の位置情報を元に、モータ駆動回路３１２介してアライメントを行う。アライメントが完了した後、以下の手順で測定を開始する。
【００５４】
ステップＳ１００で、システム制御部３０１はソレノイド４２に対し微小電流をながすことでピストン４０を低速駆動し、ピストン４０を動作開始位置まで移動させる。ピストンの動作開始位置は、ピストン位置検出スイッチ４７の検出結果によって決められている。ピストンの動作開始位置が検出された後は、ソレノイド４２に内蔵されたコイルスプリングの戻り力とのバランスを取りながら、ピストン４０を検出位置に保持する制御を開始する。ここで本実施例では、ピストン位置検出スイッチ４７は、最大３０ｍｍＨｇの被検眼の測定に必要なシリンダ容積を確保する位置に設定されているとする。これらピストン４０を動作開始位置まで移動および該動作開始位置での保持を行う構成は、本発明において、該ピストン４０がシリンダ４３内にて空気を圧縮する際の初期容積を変更可能なピストン容積変更手段の一例として示される。ピストン制御手段は、前述したピストン位置検出手段の検出結果に基づいて、前述したピストンの移動および保持を行う。また、当該ピストン容積変更手段は、前述したようにピストン４０の動作開始位置を変更することにより該初期容積の変更を行う。
【００５５】
ピストン４０が動作開始位置まで移動された事が分かると、ステップＳ１０１で、システム制御部３０１はソレノイド４２に流す電流値を引き上げ、ピストン４０を高速駆動することで眼圧測定を開始する。この時ソレノイド４２に流す電流は、ピストンの動作開始位置により決められたシリンダ容積から算出され、ノズル２２から噴出される空気圧により３０ｍｍＨｇが測定出来るように、予め工場出荷時に補正された値である。
【００５６】
ステップＳ１０２では、測定された眼圧値が３０ｍｍＨｇより小さいかかどうかの判定を行う。ステップＳ１００でピストン４０の測定開始位置を変更しているため、本実施例中の装置は最大で３０ｍｍＨｇまでの被検眼しか測定が出来ない。そこで、測定された眼圧値が３０ｍｍＨｇかどうかの判定を行い、３０ｍｍＨｇより小さいある場合は、ステップＳ１０３に移行する。ステップＳ１０３では、実際に測定を行なう。その後ステップＳ１０４に移行し、所定の測定回数が終了したか判定を行う。回数が所定回数に達していなければステップＳ１０３に戻り、再度測定を行い、所定の測定回数が得られれば眼圧測定を終了する。所定の測定回数が１回と決められていれば、ステップＳ１０１の測定で条件は満足するため、そのまま眼圧測定は終了される。なお、ステップＳ１０４における判定の結果更なる測定が必要であると判断された場合に、再度の測定であるステップＳ１０３を経た後にステップＳ１０２に戻って測定開始位置の変更の要否を都度判定する様式とすることも可能である。例えば眼圧値が当初より３０ｍｍＨｇに近い値であり更に測定を行ううちに眼圧値が大きくなるような場合に、当該構成は好適に対応できる。また、上述した測定された眼圧値が所定値以上か否かに関しては、システム制御部３０１において判断手段として機能する領域により判断される。
【００５７】
ここで、ステップＳ１０３で測定される際のピストンの動作開始位置は、３０ｍｍＨｇのモードか６０ｍｍＨｇのモードかにより異なる。ステップＳ１０２で被検眼の眼圧値が３０ｍｍＨｇより小さいと判断されている場合、ステップＳ１００で指定した検出位置からピストン４０の駆動は開始される。
また、ステップＳ１０２で被検眼の眼圧値が３０ｍｍＨｇ以上と判断されている場合、後述する６０ｍｍＨｇモードでのピストンの動作開始位置から測定を行う。
【００５８】
次に、ステップＳ１０２で、測定結果が３０ｍｍＨｇ以上と判断された時のシステム制御部３０１の制御について説明する。前述の通り、ステップＳ１０１で設定したピストン４０の動作開始位置では、３０ｍｍＨｇ以上の測定が出来ない。そこで、システム制御部３０１は、ステップＳ１０５でピストン開始位置をシリンダ４３の駆動始端に変更する（ステップＳ１０５）。制御としては、ソレノイド４２への通電を停止するだけで良く、ピストン４０はソレノイド４２のコイルスプリングの戻り力により、シリンダ４３の駆動始端に自動的に移動される。即ち、眼圧が所定の値以上の場合には、ピストン容積変更手段はピストンの初期容積を大きくする。ピストン４０の動作開始位置が変更された後、ステップＳ１０６で、６０ｍｍＨｇ測定用の電流値での測定を開始する。ここで、３０ｍｍＨｇ用の測定と同様、６０ｍｍＨｇ用の設定電流値も予め工場出荷時に補正された値である。
【００５９】
以上のフローチャートに従い眼圧測定が終了した後は、左右眼の切り替えや測定結果の印字等の通常の測定ルーチンに従って制御を行い、全ての作業を終了する。
【００６０】
本実施形態では、一つの検出スイッチを例に説明を行ったが、１５ｍｍＨｇ用、３０ｍｍＨｇ用４５ｍｍＨｇ用等の複数の検出スイッチを有することも可能である。１回目の眼圧測定では３０ｍｍＨｇのシリンダ容積で測定を行い、以降の測定は１回目の測定結果に応じたピストン４０の動作開始位置を設定することで、被検眼に対してより少ない最適な空気の噴射で測定が可能である。例えば、１回目の測定結果が１０ｍｍＨｇであった場合、ピストンの動作開始位置を１５ｍｍＨｇの検出スイッチ位置に設定することで、より快適な空気量で測定が可能となる。また、本実施形態では、当初３０ｍｍＨｇのモードにて測定を開始し、必要に応じてステップＳ１０６にて６０ｍｍＨｇのモードにて測定を行うこととしている。しかし、これを当初６０ｍｍＨｇのモードにて測定を開始し、測定値が３０ｍｍＨｇ以下の場合に３０ｍｍＨｇのモードに移行して測定を行う態様としても良い。即ち、眼圧測定手段によって眼圧が所定の値以下であるとされた場合、ピストン容積変更手段によってピストンの初期容積が小さくされる。
【００６１】
また応用例として、検出スイッチ４７をディジタル的な検出手段では無く、ポテンショメータ等のアナログ的な検出手段を用いることで、さらにフレキシブルな制御が可能となる。例えば、「１回目の測定結果+５ｍｍＨｇ」が測定可能な最大眼圧値となる位置に２回目以降のピストンの動作開始位置をセッティングすれば、全ての被検眼に対してより最適な空気を噴射することが可能となる。即ち、このような場合、ピストン容積変更手段は、測定された眼圧に所定の値を加算した眼圧に応じてピストンの初期容積を変更する。
【実施例２】
【００６２】
一般的にピストン４０の動作開始位置が決まっている従来製品で見られる構造では、被検眼に対する空気噴出時間の軽減を目的とし、シリンダ４３中央付近に空気排出用の穴が開けられている。
ピストン４０が穴を通り過ぎるまではシリンダ４３内の空気圧縮が行われないため、ピストン４０は空気抵抗が無いままその駆動速度を上げ、穴を過ぎた後空気の圧縮を開始する。ピストン４０を同じ力で駆動させた場合、空気圧縮開始時の初期速度が早ければ、その分被検眼に噴出される空気速度も速くなり測定に必要な圧力に到達する時間が短くなる。
【００６３】
実施例１の構成では、ピストン４０の駆動開始位置は任意の位置に設定されるため、シリンダに穴をあけることが出来ず空気圧縮開始時のピストン４０の初期速度があげられないというデメリットがあった。
そこで実施例１に対して、空気圧縮開始時のピストン４０の初期速度を早くすること目的として、以下の実施例２を提案する。
【００６４】
図９は、本実施例２を実施するための特徴であるピストン４０の構造図を示している。図９（ａ）は、ピストン４０を空気移送管４４から見た図であり、図９（ｂ）はその断面図をしめしている。
ピストン４０は主に、空気圧縮部４０ａ、駆動部４０ｂおよび付勢手段であるバネ４０ｃの３つの部品で構成されている。ここで、本実施例で提案するピストンが従来のピストン４０と大きく異なるポイントは、空気圧縮部４０ａ中心部には穴が空いていることである。この穴は、ピストン４０において、シリンダ４３内の空気を圧縮する側から該ピストン４０の後ろ側であるシリンダ４３の外部に至る気体通路となる。さらに駆動部４０ｂとの部品間距離が短くなるとその穴が塞がれる構造であることも重要なポイントとなる。
本実施例では、図９（ｂ）のように、駆動部４０ｂ凸部のテーパー構造およびゴムリング４０ｄにより、この穴を容易に閉塞出来る構造としている。このテーパー構造およびゴムリングは、前述した気体通路の開閉を行う駆動弁として機能する。
【００６５】
さらに説明を続ける。バネ４０ｃは空気圧縮部４０ａと駆動部４０ｂが一定の距離Ｌに保たれる様に配置されている。また空気圧縮部４０ａ駆動部４０ｂの両部品は、図示しないガイド部材によりガイドされているため、バネ４０ｃの付勢軸方向のみ可動することが出来る構造となっている。
バネ４０ｃの付勢力により駆動部４０ｃと空気圧縮部４０ａが一定距離Ｌに保たれている状態では、図９（ｂ）中の点線矢印で図示したように、空気圧縮部４０ａの中心に開いた穴からピストン後方へ気体通路が確保されている。自然状態では、ピストンの空気圧縮部４０ａと駆動部４０ｂは、バネ４０ｃの付勢力により離れており気体通路も確保されている。
【００６６】
次にバネ４０ｃが縮む方向に力をかけ、駆動部４０ｂと空気圧縮部４０ａの距離が長さＬ１（＜Ｌ）に変化させた場合、バネ４０ｃのバネ係数をｋとすると、バネ４０ｃの弾性力はｋ×（Ｌ−Ｌ１）となり、気体通路の面積については駆動部４０ｂ凸部のテーパー構造により減少する。
バネ４０ｃにさらに力かけ空気圧縮部４０ａと駆動部４０ｂの２部品の距離が近づくと、Ｌ１＝０において駆動部４０ｂに設けられた凸部が空気圧縮部４０ａの穴を塞ぎ、気体通路が閉塞状態になる。また、閉塞状態時におけるバネ４０ｃの弾性力は、ｋ×Ｌとなる。
ここで、空気圧縮部４０ａに空いた穴の径は、ピストン径に比べ十分小さく後述する機能を満足するように設計されている。
【００６７】
また、本実施例では説明を容易にするため付勢手段としてバネを用いているが、同等の機能を有する付勢手段であれば他の手段を用いても良い。この付勢手段は、駆動弁を動作させて気体通路の開閉を行わせる駆動弁動作手段を構成する。該駆動弁動作手段は、前述したようにピストン４０のシリンダ４３内の位置が所定位置となる、或いは該ピストン４０の移動速度が所定速度以上となることにより、該ピストン４０に付勢手段の付勢力以上の力が駆動弁に付与される。その結果、気体通路を閉鎖する動作が駆動弁によって行われることとなる。なお、この付勢力は、付勢手段によって気体通路を開放する方向に駆動弁に対し作用する。
【００６８】
本実施例２で説明する機器は、上述のピストン構造以外は実施例１と同様であるため構成や原理および計測フローについては割愛する。
ここからは、実施例１と同様の制御をした時、特徴的であるピストン形状により圧力信号と角膜変形信号がどのように変化するか、図１０〜図１２を用いて説明を行う。
【００６９】
図１０は本実施例のソレノイド制御時のピストンの位置とその状態を表している。図１０（Ａ）は、ピストンの初期位置を示している。
この状態から、ソレノイドに通電を開始すると駆動部４０ｂにソレノイドの力Ｆがかかりピストンが加速していく。ここで図１１はバネ力とソレノイドの加速度による空気圧縮部４０ａにかかる力関係を示している。横軸が時間ｔ、縦軸は力ｆを表している。空気圧縮部４０ａの質量をｍとし、加速度αの力で駆動部４０ｃが押されると、ピストン内の摩擦や慣性の法則により空気圧縮部４０ａはバネ４０ｃを押し縮める方向にｍ×αの力が働く。バネ力ｋ×（Ｌ−Ｌ１）に対し、ソレノイドによる力ｍ×αは十分に大きいため、駆動部４０ｂと空気圧縮部４０ａの両部品間の距離Ｌ１が徐々に縮まる。２部品間の距離が縮まり、「ｍ×α＝ｋ×Ｌ」すなわちＬ１＝０となった瞬間に図１０（ｂ）で図示されたように気体通路は閉塞される。その瞬間の時間をＴ２として、さらに説明を続ける。
【００７０】
図１２は、ソレノイド制御信号と、本実施例のピストンを用いた場合における空気室２３内の圧力信号、および被検眼Ｅの角膜変形信号の関係を表している。図１２の横軸は測定開始時からの時間を表し、縦軸は各信号のレベルを表している。図５と同様に点線は角膜変形信号、実線は本発明における圧力信号（圧力信号３）を表している。また比較のため実施例１の制御方法時における圧力信号（圧力信号２）を一点鎖線で表している。
さらに説明を容易にするため、ソレノイド制御信号による駆動時間とＯＮ／ＯＦＦのタイミングは同じとしている。
【００７１】
前述のように初期状態Ｔ０から前述のＴ２までの期間は、ピストン４０に空いた気体通路から空気が抜ける構造のため、ソレノイド４２の通電を開始しても従来制御のようにシリンダ４３内の圧力は上昇しない。
従ってピストン４０は空気抵抗のないまま加速され続け、Ｔ２を過ぎた直後から空気の圧縮を開始する。
そのため、本実施例２では実施例１にくらべ圧縮開始時の初速が早く、圧力信号の傾きが大きいため、圧力信号の検出開始からＰ１点までの期間が従来のＡ１（Ｔ1−Ｔ０）に対し、期間Ａ２（Ｔ１−Ｔ２）となり、より短時間で所望の圧力を得ることが可能となる。
【００７２】
以上に示した様に、実施例２で提案したピストン４０の構造で実施例１を実施することで相乗的に効果を得ることが可能である。実施例１では図５のＢ１区間を、実施例２では図５のＡ１区間を短くすることが可能である。
【００７３】
また、実施例２で示したピストン４０形状を用いることで、さらなるメリットが考えられる。図１０（ｃ）は、測定終了時のピストン４０の位置を表している。
通常のピストン形状の場合、この状態からピストン駆動の初期位置に戻る際にシリンダ４３内の気圧がさがりノズル２２から被検眼の涙や空気中のごみ等を吸いこんでしまう問題があった。一方、本実施例２で提案したピストン形状の場合、ソレノイド４２の戻りバネの力Ｆ‘とバネ４０ｃの弾性力ｋ×Ｌの方向が一致しているため、図１０（ｄ）で図示した様にピストン４０の気体通路を開放する方向に力が働く。気体通路が開放されれば、ピストンが初期位置に戻る際にもシリンダ４３内の気圧は下がらないため、涙やごみ等の吸い込み発生しない。
【００７４】
（その他の実施例）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【００７５】
３４    受光素子
４０    ピストン
４２    ソレノイド
４３    シリンダ
４５    圧力センサ
４７    検出スイッチ
３０１  システム制御部
３１０  ソレノイド駆動回路
【図１】
2014012119.tif 000003
【図２】
2014012119.tif 000004
【図３】
2014012119.tif 000005
【図４】
2014012119.tif 000006
【図５】
2014012119.tif 000007
【図６】
2014012119.tif 000008
【図７】
2014012119.tif 000009
【図８】
2014012119.tif 000010
【図９】
2014012119.tif 000011
【図１０】
2014012119.tif 000012
【図１１】
2014012119.tif 000013
【図１２】
2014012119.tif 000014